(57)【要約】注射器を固定させる注射器装着部であって、その上端ヘッド部にネジ孔が形成された注射器装着部と、ネジ棒を持つピストン押しユニットと、からなり、前記ネジ棒は、前記ネジ孔にネジ込まれて前記ピストン押しユニットがネジ孔に沿って前進、後退できるようになされ、これにより、ピストン押しユニットが注射器のピストンを一定の圧力で押すことによって注射器から所定の量の内容物が注射器から正確に人体に注入されるようにされている注射器のピストンの操作装置。医療用セメントが充填された注射器を注射器装着部に取付けた後、使用者がネジ棒をもつピストン押しユニットを回転させる時に、注射器のピストンが後退することなく前進することにより注射器に充填された医療用セメントを一定の圧力で注射器から押し出すようにし、所定の量の医療用セメントを人体に正確に注入させることができる。【選択図】図１
2009534087.tif 000002
【特許請求の範囲】
【請求項１】
注射器３０を固定させる注射器装着部１０であって、その上端ヘッド部１１にネジ孔１２
が形成された注射器装着部１０と、
ネジ棒２４を持つピストン押しユニット２０と、からなり、
前記ネジ棒２４は、前記ネジ孔１２にネジ込まれて前記ピストン押しユニット２０がネジ
孔１２に沿って前進、後退できるようになされ、これにより、ピストン押しユニットが注
射器３０のピストン３１を一定の圧力で押すことによって注射器３０から所定の量の内容
物が注射器３０から正確に人体に注入されるようにされていることを特徴とする注射器の
ピストンの操作装置。
【請求項２】
前記注射器装着部１０には、注射器３０を着、脱させることができるようにすると共に外
部から注射器装着部１０の内部構造を使用者が外から見得る半円溝１３が形成されている
ことを特徴とする請求項１に記載の注射器のピストンの操作装置。
【請求項３】
前記半円溝１３は、中間部の直径“Ａ”より下部末端部の直径“ａ”が小さく形成されて
おり、注射器３０が半円溝１３に“カチッ”と音を出しながらプレス嵌めされて、半円溝
１３から簡単に離脱されることを防止することを特徴とする請求項２に記載の注射器のピ
ストンの操作装置。
【請求項４】
前記注射器装着部１０には、注射器３０の上端の指掛部が挿入されて固定されるようにロ
ッキング溝１４がさらに形成されていることを特徴とする請求項１又は２に記載の注射器
のピストンの操作装置。
【請求項５】
前記ピストン押しユニット２０の上端には、つまみ２１が形成されて、このつまみの外周
面には使用者が滑らずに容易にハンドルを回転させられるギザギザ２２がさらに形成され
ていることを特徴とする請求項１に記載の注射器のピストンの操作装置。
【請求項６】
前記つまみ２１の下端には、注射器３０から排出される内容物の量に対応してピストン押
しユニット２０を回転させられるように数字が表示された多角形の表示部２３がさらに形
成されていることを特徴とする請求項５に記載の注射器のピストンの操作装置。
【発明の詳細な説明】
【技術分野】
【０００１】
本発明は、注射器(syringe)のピストンの操作装置に関するものであり、より詳細には、
医療用セメント(cement)が充填された注射器を注射器装着(mounting)部に取付けた後、使
用者がネジ(screw)棒を持つピストン押しユニットを回転させる時に、注射器のピストン
が後退することなく前進する（添付の図で上昇することなく下降する）ことにより注射器
に充填された医療用セメントを一定の圧力で注射器から押し出すようにし、所定の量の医
療用セメントを人体に正確に注入させることができるようにした注射器のピストンの操作
装置である。本発明の注射器のピストンの操作装置は製品の品質と信頼性を大幅に向上さ
せて、消費者にとって大きな満足と良い印象を与えることができる。
【背景技術】
【０００２】
当該技術分野で周知のように、注射器は、薬液を生体の組織内に注入する器具である。注
射器は、体内の組織に刺す針と薬液を入れるガラス管及び薬液に圧力を与えるピストンを
主として有する。最近は血清感染の予防のために使い捨てプラスチック注射器が広く使わ
れている。
【０００３】
一方、骨の折れ、切断、壊死などのような病変を治療するために医療用セメントを利用す
る治療法が提案されている。この医療用セメントを利用する治療によれば、患部を切開し
て損傷された骨を術者(operator)が肉眼で確認後に病変部に医療用セメントを注入する。
又は、術者が骨を観察することができる映像装置を利用して病変部位を確認後、注射器を
利用して患者の組織に医療用セメントを注入する。
【０００４】
しかし、従来の注射器は次のような理由により殆ど使用されない。
【０００５】
特に、患者の組織に医療用セメントを注射する時に、医療用セメントの物理的特性により
比較的大きな圧力がピストンに加えられなければならない。しかし、手でピストンに一定
の圧力を加えることは困難であり、それ故に、患者の組織に医療用セメントを正確な容量
で注射することも非常に困難である。
【発明の開示】
【発明が解決しようとする課題】
【０００６】
本発明は、前記のような従来技術の諸般の問題点を解消するために案出したものであり、
第１の目的は、注射器を確実に固定させる注射器装着部とピストンを一定の圧力で押すピ
ストン押しユニットが具備されている注射器のピストンの操作装置を提供することである
。
【０００７】
本発明の第２の目的は、医療用セメントが充填された注射器を注射器装着部に取付けた後
、使用者がネジ棒を持つピストン押しユニットを回転させる時に、注射器のピストンが後
退することなく前進することにより注射器に充填された医療用セメントを一定の圧力で注
射器から押し出すようにし、所定の量の医療用セメントを人体に正確に注入させることが
できるようにした注射器のピストンの操作装置を提供することである。
【０００８】
本発明の第３の目的は、治療技術を画期的に改善できる注射器のピストンの操作装置を提
供することである。
【０００９】
本発明の第４の目的は、製品の品質と信頼性を大幅に向上させて、消費者にとって大きな
満足と良い印象を与えることができる注射器のピストンの操作装置を提供することである
。
【課題を解決するための手段】
【００１０】
このような目的達成のために、本発明は、注射器のピストンの操作装置を提供する。この
装置は、注射器を固定させる注射器装着部と、ネジ棒を持つピストン押しユニットからな
る。注射器装着部は、その上端ヘッド部にネジ孔が形成されている。ネジ棒は、ネジ孔に
ネジ込まれて注射器のピストン押しユニットがネジ孔に沿って前進、後退できる。
【発明の効果】
【００１１】
これにより、ピストン押しユニットは、ピストンを一定の圧力で押すので、注射器から所
定の量の内容物が正確に人体に注入される。
【発明を実施するための最良の形態】
【００１２】
本発明の上記及びその他の目的、特徴及び効果を、添付された図面と共に下記の詳細な説
明によりさらに明確にする。
【００１３】
以下、本発明の好ましい実施態様に相当する注射器のピストンの操作装置を、図１ないし
図６を参照して説明する。
【００１４】
下記の本発明の説明において、ここに組み込まれる公知機能又は形態の詳細な説明は、本
発明の主題を反って不明瞭にするような場合には、省略するであろう。
【００１５】
そして、本発明の後述される説明に使用される用語は本発明での機能を考慮して用意され
ているので、これらの用語は生産者の意図又は慣例によって変わるであろう。よって、用
語の定義は本明細書の全内容に基づいて決定されなければならない。
【００１６】
本発明は、注射器のピストンの操作装置を提供する。これは、主に、注射器３０を固定さ
せるための注射器装着部１０と、ピストン３１を一定の圧力で押すピストン押しユニット
２０と、を具備する。医療用セメントが充填された注射器３０を注射器装着部１０に取付
けた後、使用者がネジ棒２４を持つピストン押しユニット２０を回転させれば、注射器３
０のピストン３１は、後進しないで動くので注射器３０に充填された医療用セメントを注
射器３０から一定の圧力で押し出すことができ、人体に所定の量の医療用セメントを正確
に注射できる。以降に、本発明の構成をより詳しく説明する。
【００１７】
前記注射器装着部１０には、図１に示すように、使用者が外部から注射器装着部１０の内
部構造を見ながら注射器３０を着、脱させることができるようにする円筒を半割りにした
形状の半円(semicircular)溝（以下、「半円溝」という）１３が形成されている。図２に
示すように、半円溝１３の中間部の直径“Ａ”より下部末端部の直径“ａ”が小さく形成
されており、注射器３０が半円溝１３に“カチッ(click)”と音を出しながらプレス嵌め
されるので、注射器３０は、半円溝１３から簡単に離脱されることを防止できる。
【００１８】
また、図１、図２に示すように、前記注射器装着部１０には注射器３０の上端の指掛部が
挿入されて固定されるようにロッキング溝１４がさらに形成される。
【００１９】
前記ピストン押しユニット２０の上端にはつまみ（handle)２１が形成されている。この
つまみ２１の外周面には使用者がつまみ２１を摘んで容易に回転できるようにギザギザ２
２が形成されている。
【００２０】
そして、前記つまみ２１の下端には多角形の表示部２３が具備されている。注射器３０か
ら排出されるべき医療用セメントの量に対応させて、使用者がピストン押しユニット２０
を回転させられるように、数字、文字や記号が多角形の表示部２３に形成されている。
【００２１】
特に、本発明は、ネジ棒２４とネジ孔１２とのネジピッチ間隔を、使用者がピストン押し
ユニット２０を一回り回転させる時、注射器３０から内容物が１００ml排出できるように
構成する。
【００２２】
一方、本発明の構成は、多様に改良、変更できる。
【００２３】
そして、本発明は、前記の実施態様に限定されないし、当業者は、添付された請求範囲に
よって定義される本発明の精神と範囲から離れることなく種々の改良、追加、置換が可能
であることを理解するであろう。
【００２４】
以下に、前記の構成を持つ本発明の作用効果を説明する。
【００２５】
まず、使用者は注射器３０の内部に内容物を充填させる。この時、前記内容物は生体の組
織内に注入する薬液を言う。本発明では、前記内容物が骨の折れ、切断、壊死などのよう
な病変を治療するための医療用セメントを含むことが望ましい。
【００２６】
図４及び図５に示されるように、医療用セメントが充填された注射器３０は、注射器装着
部１０に取付けて使う。前記注射器装着部１０には半円溝１３が形成されているので、注
射器３０のほぼ片側が注射器装着部１０に収容される。そして、図２に示されるように、
前記半円溝１３の中間部の直径“Ａ”より下部末端部の直径“ａ”が小さく形成されてお
り注射器３０が半円溝１３に“カチッ”と音を出しながらプレス嵌めされるので、注射器
３０は、半円溝１３から簡単に離脱されることを防止できる。
【００２７】
前記注射器３０を半円溝１３にプレス嵌めするとき、注射器３０の上端外部に突き出た指
掛部位がロッキング溝１４に合致して固定される。こうして、ピストン３１を一定の圧力
で押す時、注射器３０が半円溝１３の外に滑って抜けることを防止できる。
【００２８】
医療用セメントが充填された注射器３０を注射器装着部１０にプレス嵌めした後に、ピス
トン押しユニット部２０を前記注射器装着部１０に結合する。
【００２９】
すなわち、注射器装着部１０の上端ヘッド部１１の中央部に形成されたネジ孔１２にネジ
棒２４がネジ込まれる。このとき、上述のとおり、使用者が、前記ピストン押し部２０を
一回り回転させる時、注射器３０から内容物が１００ml排出できるようにネジ棒２４のピ
ッチが予め決められている。
【００３０】
これをより詳しく説明すると、使用者がピストン押しユニット２０を回転させると、図４
及び図６に示すように、ピストン押しユニット２０の下部先端部は注射器３０のピストン
３１の上端に接触する。この状態で使用者がさらにピストン押しユニット２０を回転させ
れば、ピストン押しユニット２０がピストン３１と一緒に下降して、注射器３０の内部に
充填された内容物(医療用セメント)が注射器３０から押し出される。こうして、医療用セ
メントを、患者の組織に注入できる。
【００３１】
本発明によれば、医療用セメントが充填された注射器３０を注射器装着部１０に取付けた
後、使用者がネジ棒を持つピストン押しユニット２０を回転させる時に、注射器３０のピ
ストン３１が後退することなく前進することにより注射器３０に充填された医療用セメン
トを一定の圧力で注射器３０から押し出すようにし、所定の量の医療用セメントを人体に
正確に注入させることができる。こうして、本発明は、治療技術を画期的に改善できる。
【００３２】
一方、つまみ２１の外周面にギザギザ２２が形成されているので、使用者は滑らないで容
易につまみ２１を回転させることができる。
【００３３】
そして、前記つまみ２１の下端に、多角形の表示部２３が形成されているので、排出され
るべき医療用セメントの量に対応して使用者がピストン押しユニット２０を正確に回転さ
せることができる。すなわち、多角形の表示部２３に表示された数字に基づいて使用者が
ピストン押しユニット２０の回転の程度を調整できる。例えば、内容物を５０ml患者の組
織に注入する必要があるときは使用者は、ピストン押しユニット２０を１８０度回転(す
なわち、使用者は、数字‘３'が多角形の表示部２３の正面に位置するまでピストン押し
ユニット２０を回転させる)させるだけで良い。
【００３４】
本発明の注射器のピストンの操作装置は、主に医療用として使われる。本発明の装置は、
家庭又は産業用としても使うことができることは勿論である。
【産業上の利用可能性】
【００３５】
上述のように、本発明は、注射器を固定させる注射器装着部とピストンを一定の圧力で押
すピストン押しユニットが具備された注射器のピストンの操作装置を提供する。特に、医
療用セメントが充填された注射器を注射器装着部に取付けた後、使用者がネジ棒を持つピ
ストン押しユニットを回転させる時に、注射器のピストンが後退することなく前進するこ
とにより注射器に充填された医療用セメントを一定の圧力で注射器から押し出すようにし
、所定の量の医療用セメントを人体に正確に注入させることができるようにしたものであ
る。結果的に、本発明のピストンの操作装置は製品の品質と信頼性を大幅に向上させるこ
とができて、消費者に満足と良い印象を提供する。
【図面の簡単な説明】
【００３６】
【図１】本発明の注射器のピストンの操作装置の斜視図である。
【図２】本発明の注射器のピストンの操作装置の正面図である。
【図３】本発明の注射器のピストンの操作装置の側面図である。
【図４】本発明のピストン押しユニットが前進する前の状態を示す図である。
【図５】本発明のピストン押しユニットが回転してピストンを前進させた状態を示す構成図である。
【図６】本発明の注射器のピストンの操作装置の使用状態を示す図である。
【図１】
2009534087.tif 000003
【図２】
2009534087.tif 000004
【図３】
2009534087.tif 000005
【図４】
2009534087.tif 000006
【図５】
2009534087.tif 000007
【図６】
2009534087.tif 000008
【国際調査報告】
2009534087.tif 000009
2009534087.tif 000010